(57)【要約】      （修正有）【課題】既存の種類のプリザーブドフラワーを用いて、好みの花種に変更した加工花を提供する。【解決手段】加工花１は、プリザーブドフラワーから取り出された花びら材６，９が花芯部材５に固着され、固着された花びら材６，９が、カットや重ね合わせや湾曲などの整形態様によって、プリザーブドフラワー由来の花種（バラ）とは異なる花種（あやめ）の花びらを模した形状に整形されているものである。花びら材９は針金１２により花芯部材５の針金８に固着されている【選択図】図２
0003146909.tif 000002
【実用新案登録請求の範囲】
【請求項１】
プリザーブドフラワーから取り出された花びら材が花芯部材に固着され、固着された花びら材が前記プリザーブドフラワー由来の花種とは異なる花種の花びらを模した形状に整形されていることを特徴とする加工花。
【請求項２】
花びら材が針金により固着されている請求項１に記載の加工花。
【請求項３】
プリザーブドフラワー由来の花種とは異なる花種があやめである請求項１または請求項２に記載の加工花。
【請求項４】
プリザーブドフラワー由来の花種とは異なる花種がハイビスカスである請求項１または請求項２に記載の加工花。
【考案の詳細な説明】
【技術分野】
【０００１】
本考案は、生花に特殊な処理を施すことによって得られるプリザーブドフラワーを用いた加工花に関する。
【背景技術】
【０００２】
生花は、一般的に切り取った花を花瓶に生けるなどして鑑賞されるものである。しかし、生花の場合、花を枯らさないようにするために絶えず水を与えなければならず、また、水を与えたとしても、長い期間に亘って鑑賞できるものではない。
そこで、近年、生花のみずみずしさや柔らかさ、ボリュームなど、あたかも生花のように見える状態で数ヶ月から数年間保存が可能なプリザーブドフラワーが開発されている。このプリザーブドフラワーは、室内に飾られたり、あるいは誕生日などの各種のお祝い事などで贈られたりして好評を博している。
かかるプリザーブドフラワーは、原料たる生花をアルコール類に浸漬させて脱水・脱色したものを、色素含有の保存液（ポリエチレングリコールなど）に浸漬し、その保存液を生花自身の力で数時間から数日間かけて吸い上げさせるという「プリザーブ処理」によって得られる。これにより、プリザーブドフラワーは、枯れたり、腐ったり、変色したり、硬化したりすることなく、長期間（２〜３年）にわたって生花と同様の美しさやソフトな感触が維持されるという特長を有する。尚、上記したプリザーブ処理に関する技術は、例えば下記の特許文献１に開示されている。
【０００３】
【特許文献１】特開２００４−９９６０５号公報
【考案の開示】
【考案が解決しようとする課題】
【０００４】
ところが、前記したプリザーブドフラワーとして販売されている花の種類には限りがある。そのため、販売されていない花の種類のプリザーブドフラワーは入手することができなかったのである。
【０００５】
本考案は、上記の課題に鑑みてなされたものであり、既存の種類のプリザーブドフラワーを用いて、好みの花種の加工花を提供することを目的とする。
【課題を解決するための手段】
【０００６】
上記目的を達成するために、本考案に係る加工花は、プリザーブドフラワーから取り出された花びら材が花芯部材に固着され、固着された花びら材が前記プリザーブドフラワー由来の花種とは異なる花種の花びらを模した形状に整形されているものである。
ここで、「整形」の態様としては、例えば、花びら材を所望の花びら形状に切る態様、花びら材の凹面と凸面を反転させる態様、花びら材の向きを変える態様、所望数の花びら材を重ねた形状にする態様などが挙げられる。その場合、花芯部材に固着する前の花びら材を整形してよいし、固着後の花びら材を整形しても構わない。
【０００７】
また、前記構成において、花びら材が針金により固着されているものである。
【０００８】
そして、前記の各構成において、プリザーブドフラワー由来の花種とは異なる花種があやめとしたものである。
【０００９】
更に、前記の各構成において、プリザーブドフラワー由来の花種とは異なる花種がハイビスカスとしたものである。
【考案の効果】
【００１０】
本考案によれば、リザーブドフラワーから取り出されて花芯部材に固着された花びら材が、プリザーブドフラワー由来の花種とは異なる花種の花びらを模した形状に整形されているので、異なる花種のプリザーブドフラワーとしての加工花を提供することができる。
【００１１】
また、花びら材が針金により固着されているものでは、入手容易で簡素な針金により、比較的強固な固着ができ、手軽で安価に固着作業を行なうことができる。
【考案を実施するための最良の形態】
【００１２】
本考案の最良の実施形態を図面に基づいて説明する。尚、以下に述べる実施形態は本考案を具体化した例に過ぎず、本考案の技術的範囲を限定するものでない。
「実施形態１」
図１は本考案の実施形態１に係る加工花を示す正面図、図２は図１におけるＡ−Ａ線矢視概略断面図である。
この実施形態１では、バラのプリザーブドフラワーの花びら材を用いて、あやめ（英名：アイリス）を模した加工花の例を示す。
各図において、実施形態１に係る加工花１は、上部花部材２と、上部花部材２の下端部に連結された下部花部材３と、下部花部材３の下端部に連結されたステム部材４と、下部花部材３とステム部材４との境部分に設けられたガク部１９とから構成されている。
前記の上部花部材２は、雌しべおよび雄しべを模した花芯部材５と、花芯部材５の周囲を被う小花びら材６とから成っている。前記の花芯部材５は、蘂状体７と、蘂状体７を固着する針金８とから成っている。前記の小花びら材６は３枚の花びら状部１１を有している。
【００１３】
上記した加工花１の作製手順を次に説明する。まず、図３に示した蘂状体７は、プリザーブ処理されたアジサイの花びらおよびこの花びらにつながった細茎をそのまま用いたものである。かかる蘂状体７を例えば５本用意し、蘂状体７のそれぞれの細茎を束ね針金８を巻きつけて固着し、花芯部材５とした。
一方、バラのプリザーブドフラワーＰＦから１枚の花びら材９をちぎって取り出し、花びら材９中の１点鎖線Ｆで示した位置でカットして、３枚の花びら状部１１が分岐した小花びら材６を作製した。前記のプリザーブドフラワーＰＦは、バラの生花をアルコール類に浸漬させて脱水・脱色し、これを紫色色素含有の保存液に浸漬し保存液を浸透させて得たものであり、花びら（花弁）は気品のある紫色を呈している。
そこで、花芯部材５の針金８で巻いた部分に小花びら材６の下部分を巻きつけて例えばホットメルト接着剤で固着した。そして、小花びら材６の花びら状部１１を、矢印Ｅで示すように前方や側方に少し広げて整えることにより、上部花部材２を得た。
【００１４】
続いて、図４に示すように、プリザーブドフラワーＰＦの花びら材９のうち、大ぶりのものを３枚ちぎって取り出し、それぞれの凹面Ｓを裏側から押して凸面とした。すなわち、花びら材９の凹凸面をひっくり返した。一方、長さ１５ｃｍの２６番手の針金をＵの字状に曲げてＵピン体１３を作製する。このＵピン体１３は３本用意してある。
ひっくり返した花びら材９の上下中央部分に、Ｕピン体１３を花びら材９の表側から突き刺し、花びら材９の下端から５ｍｍくらいの位置で表側に刺し戻した。このようなものを３枚作製した。
一方、プリザーブ処理されたカーネーションの花びら材（例えば、白色）をカッターナイフなどでカットして、あやめの花びらの中心模様を表すための模様体１４を作製した。この模様体１４を花びら材９の表面に接着剤で貼りつけて、花びら体１５を得た。
次に、３つの花びら体１５のＵピン体１３の脚部分を束ね、束ねた部分に２６番手の針金１２を巻きつけて、花びら体１５を固着した。その状態で、３つの花びら材９を、矢印Ｅで示すように前方や側方へ放射状に広げて形を整えて、下部花部材３とした。
【００１５】
続いて、上部花部材２の下方に下部花部材３を配置し、その状態で、上部花部材２の針金８の下部と、下部花部材３の針金１２の巻き付け部分とを、例えば合成樹脂製の棒体１６の上端部に添え、針金１７で巻きつけて固着した。そして、針金１７の巻き付け部分の外周に、ガクとして肉付けするための綿１８を巻きつけた。更に、綿１８の外周から棒体１６全体にフラワーテープ１０を巻きつけた。このフラワーテープ１０は薄緑色の紙テープの裏面に粘着剤が塗布されたもので手芸用に多用されており、棒体や針金の外周に巻くと植物の茎や枝を模したものとなる。この場合、棒体１６と、棒体１６の外周に巻かれたフラワーテープ１０とから、ステム部材４が構成される。また、綿１８の周囲をフラワーテープ１０で巻いて膨らんだ部分がガク部１９となる。
尚、ステム部材４の外周面に、市販の葉状部品を接着や突き刺しなどによって固着しても構わない。あるいは、葉状部品として、観葉植物であるドラセナの葉のプリザーブ処理したものを用いることも可能である。
このようにして、あやめの花びら形状を模した加工花１が完成した。
【００１６】
この実施形態１によれば、小花びら材６および花びら材９がバラのリザーブドフラワーＰＦから取り出されており、花芯部材５に固着された小花びら材６および花びら材９があやめの花びらを模した形状に整形されているので、あやめの花びらを模したプリザーブドフラワーとしての加工花１を提供することができる。あやめ自体のプリザーブドフラワーは現時点ではまだ市場に出ていないので、加工花１は希少価値を有しており、入手希望が殺到するものと思われる。
【００１７】
尚、上記では、プリザーブド処理されたアジサイの花びらを利用して花芯部材５としたが、それに替えて、プリザーブ処理されたあやめの花芯や、あやめの花芯の外観を模して成型されたプラスチック製部品を花芯部材として用いても構わない。
あるいは、上記のように必要な花びら材９を外して残った、つぼみ状のプリザーブドフラワーＰＦを用いて、つぼみのあやめの加工花を製作することも可能である。
【００１８】
「実施形態２」
上記の実施形態１では、あやめを模した加工花の例を示したが、本考案はそれに限定されるものでない。例えば、図５に示すような加工花１ａも本考案に含まれる。この加工花１ａはハイビスカスを模したものである。
加工花１ａは、花芯部材５Ａの根元の外周に、５枚の花びら材９Ａが例えばホットメルト接着剤で固着されている。花芯部材５Ａは、プリザーブ処理されたハイビスカスの花芯部分を用いてある。花芯部材５Ａの下端部は、ステム部材４の棒体（図２中の符号１６と同じ）に針金で固着され、その固着部分がプリザーブ処理された緑色のピストポラムで覆われてガク部１９Ａとなっている。そして、ガク部１９Ａの下部および棒体の外周にテープ１０が巻かれる。花びら材９Ａは、バラのプリザーブドフラワーの大ぶりな花びら材をハイビスカスの花びらに似せてカット整形したものを用いた。葉部材をステム部材４に取り付ける場合は、プリザーブ処理された花種の大ぶりな葉を緑色に染めて用いることが、ハイビスカスの葉らしさを醸し出せて好ましい。
【００１９】
この場合、プリザーブドフラワーは赤色染料が含浸しており、花びら材９Ａは鮮やかな赤色を呈しているので、加工花１ａは外観および感触がハイビスカスの生花とほとんど変わらない。また、ハイビスカス自体のプリザーブドフラワーも市場に出ていないので、加工花１ａは貴重な代替製品となる。尚、プリザーブ処理されたハイビスカスの花芯部分の替わりに、この花芯部分とほぼ同じ外観に成型され着色されたプラスチック製の部材や、ドライフラワーの花芯部分を、花芯部材５Ａとして用いても構わない。その場合でも、人の目に付きやすい花びら材９Ａがプリザーブドフラワーで構成されているので、加工花全体で見ると本物のハイビスカスに見間違うこと受けあいである。
【００２０】
「実施形態３」
一方、図６に示すように、ひまわりを模した加工花１ｂも本考案に含まれる。この加工花１ｂは、プリザーブ処理されたヘデラ（アイビー）の種２１が円盤状のマム２０の上面にポリウレタン系のホットメルト接着剤で固着されて敷き詰められた花芯部材５Ｂと、花芯部材５Ｂの外周面に放射状に配置されてホットメルト接着剤で固着された多数の花びら材９Ｂとを備えている。花びら材９Ｂは、バラのプリザーブドフラワーの花びら材をひまわりの花びらに似せてカット整形したものを用いた。なお、マム２０とは、円形状（または、球形状）の菊全体のことをいう。
この加工花１ｂによれば、プリザーブ処理の際に黄色染料が含浸した花びら材９Ｂが黄色を呈していることから、加工花１ｂの外観および感触はひまわりの生花とよく似ている。因みに、ひまわり自体のプリザーブドフラワーも市場に出回っていない。
【００２１】
上記したように、本考案は、或る花種のプリザーブドフラワーの花びら材を用いて、別の花種の花びらを模した加工花を提供することができる。かかる加工花のデザインは、整形の態様を適宜選択することにより、無数に無限に応用することができる。
すなわち、上記の各実施形態で図示した加工花以外にも、例えば、ポインセチア、椿、その他様々な花種のプリザーブドフラワー（加工花）を、既存のプリザーブドフラワーの花びら材を用いて製作できるのである。
尚、上記した各実施形態では、加工花の花びら材として、バラのプリザーブドフラワーの花びらを用いたが、原料プリザーブドフラワー由来の生花の種類は特に限定されるものでない。但し、カットなどを行ないやすく整形の適用範囲が広くなることから、比較的大ぶりな花びらを有する花種が望ましい。
【図面の簡単な説明】
【００２２】
【図１】本考案の実施形態１に係る加工花を示す正面図である。
【図２】図１におけるＡ−Ａ線矢視概略断面図である。
【図３】前記加工花の上部花部材を製作する態様を示す説明図である。
【図４】前記加工花の下部花部材を製作する態様を示す説明図である。
【図５】本考案の実施形態２に係る加工花を示す外観図である。
【図６】本考案の実施形態３に係る加工花を示す外観図である。
【符号の説明】
【００２３】
１，１ａ，１ｂ  加工花
５，５Ａ，５Ｂ  花芯部材
６    小花びら材
９，９Ａ，９Ｂ  花びら材
８，１２  針金
ＰＦ  プリザードフラワー
【図１】
0003146909.tif 000003
【図２】
0003146909.tif 000004
【図３】
0003146909.tif 000005
【図４】
0003146909.tif 000006
【図５】
0003146909.tif 000007
【図６】
0003146909.tif 000008